(57)【要約】【課題】雨水や海水等が全閉状態の扉体で止水されている状態において、雨水や海水等を屋内へ浸入させることなく、出入口を通過できるようになる止水装置を提供すること。【解決手段】出入口２に対して開閉自在となっていて、出入口２への屋外側からの雨水等の浸入を阻止するための扉体３は、第１扉である扉１２と、この扉１２よりも上方に配置されていて、前記雨水等の浸入を阻止するために出入口２が扉体３により閉鎖されているときに出入口２を通過するための副扉となっている第２扉である扉１３と、を含んで構成され、これらの扉１２，１３は、出入口２に対して互いに独立して開閉自在となっているとともに、扉１３は、扉１２に対して連結手段３０により連結、分離自在となっており、下の扉１２まで浸水している非常時には、上の扉１３のみを開放して出入口２を通過する。【選択図】図１
2018091074.tif 000002
【特許請求の範囲】
【請求項１】
出入口に対して開閉自在となっていて、前記出入口への屋外側からの雨水等の浸入を阻止するための扉体を備えた止水装置において、
前記扉体は、前記雨水等の浸入を阻止するために前記出入口が前記扉体により閉鎖されているときに前記出入口を通過するための副扉を備えて構成されていることを特徴とする止水装置。
【請求項２】
請求項１に記載の止水装置において、前記扉体は、第１扉と、この第１扉よりも上方に配置されていて、前記副扉となっている第２扉と、を含んで構成され、これらの扉は、前記出入口に対して互いに独立して開閉自在となっているとともに、前記第２扉は、前記第１扉に対して連結手段により連結、分離自在となっていることを特徴とする止水装置。
【請求項３】
請求項２に記載の止水装置において、前記連結手段は、前記第１扉と前記第２扉のうち、一方に設けられ、この一方に配置されているラッチ部材を作動させるための操作部材と、他方に設けられ、前記ラッチ部材を受けるラッチ部材受け部と、を含んで構成されるものとなっていることを特徴とする止水装置。
【請求項４】
請求項２又は３に記載の止水装置において、前記第１扉と前記第２扉は、開き戸であり、前記第１扉の上端部には、前記第２扉の下端部が当接する戸当たり部が設けられ、この戸当たり部は、前記第２扉が前記屋外側から屋内側へ回動することにより、前記第２扉の前記下端部が当接するものとなっていることを特徴とする止水装置。
【請求項５】
請求項４に記載の止水装置において、前記第１扉は、二軸蝶番により前記出入口に対して開閉自在となっており、全閉位置まで閉じ移動した前記第１扉は、操作部材の操作により前記出入口の周縁部に圧接されることを特徴とする止水装置。
【請求項６】
請求項２〜５のいずれかに記載の止水装置において、前記第１扉と前記第２扉とが、前記連結手段により連結された状態で全閉位置に達しているときであって、前記第２扉に対して前記雨水等による前記屋外側から屋内側への圧力が作用しているとき、前記連結手段に対して作用する前記圧力を低減させるための圧力低減手段を備えていることを特徴とする止水装置。
【請求項７】
請求項１に記載の止水装置において、前記扉体は、扉体本体と、前記出入口を通過するために前記扉体本体に形成された開口部に対して開閉自在となっている前記副扉と、を含んで構成されていることを特徴とする止水装置。
【請求項８】
請求項７に記載の止水装置において、前記扉体本体と前記副扉は、開き戸であり、前記開口部の周縁部には、前記副扉の周縁部が当接する戸当たり部が設けられ、この戸当たり部は、前記副扉が前記屋外側から前記屋内側へ回動することにより、前記副扉の前記周縁部が当接するものとなっていることを特徴とする止水装置。
【請求項９】
請求項８に記載の止水装置において、前記扉体本体は、二軸蝶番により前記出入口に対して開閉自在となっており、全閉位置まで閉じ移動した前記扉体本体は、操作部材の操作により前記出入口の周縁部に圧接されることを特徴とする止水装置。
【請求項１０】
請求項１〜９のいずれかに記載の止水装置において、前記出入口の周縁部のうち、少なくとも下縁部と左縁部と右縁部には、これらの部分と全閉状態となっている前記扉体との隙間を塞ぐための水密部材が配置されていることを特徴とする止水装置。
【発明の詳細な説明】
【技術分野】
【０００１】
本発明は、集中豪雨や津波等が発生した非常時において、建物等の構造物の出入口への屋外側からの雨水、氾濫した河川の水、海水等の浸入を阻止するための止水装置に係り、例えば、地下街の店舗の出入口、ビルや住宅等の建物の１階や地階の出入口、ビルや住宅等の建物内の居室の出入口、さらには、平地に設置され、変電設備等が格納された建屋の１階や地階の出入口等に用いることができるものである。
【背景技術】
【０００２】
従来より、建物等の構造物の出入口に対して開閉自在となっていて、集中豪雨や津波等が発生した非常時において、前記出入口への屋外側からの雨水や海水等の浸入を阻止するための扉体を備えた止水装置が知られており（例えば、特許文献１参照）、非常時には、出入口を扉体で全閉状態とすることでこの出入口への雨水や海水等の浸入を阻止することができる。
【先行技術文献】
【特許文献】
【０００３】
【特許文献１】特開２０１５−１５１７１７号公報
【発明の概要】
【発明が解決しようとする課題】
【０００４】
ところで、雨水や海水等が全閉状態の扉体で止水されている状態において、屋内に居る人間が屋外へ脱出したい場合や、屋外に居る人間が屋内の様子を見るために屋内へ入りたい場合には、全閉状態の扉体を開放させる必要があるが、雨水や海水等の水圧で扉体を開放させることは容易ではなく、雨水や海水等が引くまで待つ必要がある。また、扉体を開放させることができたとしても、これでは雨水や海水等が屋内へ浸入してしまうことになる。
【０００５】
そこで、雨水や海水等が全閉状態の扉体で止水されている状態において、雨水や海水等を屋内へ浸入させることなく、出入口を通過できるようにする工夫が求められている。
【０００６】
本発明の目的は、雨水や海水等が全閉状態の扉体で止水されている状態において、雨水や海水等を屋内へ浸入させることなく、出入口を通過できるようになる止水装置を提供するところにある。
【課題を解決するための手段】
【０００７】
本発明に係る止水装置は、出入口に対して開閉自在となっていて、前記出入口への屋外側からの雨水等の浸入を阻止するための扉体を備えた止水装置において、前記扉体は、前記雨水等の浸入を阻止するために前記出入口が前記扉体により閉鎖されているときに前記出入口を通過するための副扉を備えて構成されていることを特徴とするものである。
【０００８】
前述したように、雨水等が全閉状態の扉体で止水されている状態において、屋内に居る人間が屋外へ脱出したい場合や、屋外に居る人間が屋内の様子を見るために屋内へ入りたい場合には、全閉状態の扉体を開放させる必要があるが、雨水等の水圧で扉体を開放させることは容易ではなく、雨水等が引くまで待つ必要がある。また、扉体を開放させることができたとしても、これでは雨水等が屋内へ浸入してしまうことになる。
【０００９】
しかし、本発明に係る止水装置に備えられている扉体は、上述のように、雨水等の浸入を阻止するために出入口がこの扉体により閉鎖されているとき、すなわち、雨水等が全閉状態の扉体で止水されている状態において、出入口を通過するための副扉を備えて構成されている。
【００１０】
これにより、屋内に居る人間が屋外へ脱出したい場合や、屋外に居る人間が屋内の様子を見るために屋内へ入りたい場合には、雨水等の水圧が掛かった全閉状態の扉体を開放させる必要はなく、副扉のみを開放させればよい。
【００１１】
このため、出入口を容易に通過することができるとともに、雨水等が屋内へ浸入するおそれはなくなる。
【００１２】
このように、本発明によると、雨水や海水等が全閉状態の扉体で止水されている状態において、雨水や海水等を屋内へ浸入させることなく、出入口を通過できるようになる。
【００１３】
本発明において、副扉を備えて（言い換えると、含んで）構成されている扉体の形式、構造は任意なものでよい。
【００１４】
本発明に係る扉体の形式、構造の第１の例は、扉体は、第１扉と、この第１扉よりも上方に配置されていて、副扉となっている第２扉と、を含んで構成され、これらの扉は、出入口に対して互いに独立して開閉自在となっているとともに、第２扉は、第１扉に対して連結手段により連結、分離自在となっているものである。
【００１５】
この第１の例では、副扉となっている第２扉は、第１扉よりも上方に配置されており、これらの第１及び第２扉は、出入口に対して互いに独立して開閉自在となっているため、集中豪雨や津波等が発生した非常時において、扉体の下部に対して雨水や海水等の水圧がかかった状態でも、副扉のみを容易に開放できるようになる。
【００１６】
これにより、雨水や海水等を屋内へ浸入させることなく、出入口を通過できるようになる。
【００１７】
また、この第１の例では、第２扉は、第１扉に対して連結手段により連結、分離自在となっている。
【００１８】
このため、通常時においては、第２扉を連結手段により第１扉に連結した状態にしておき、これらの第１及び第２扉が一体となった扉体を開放して出入口を通過するようにする。一方、集中豪雨や津波等が発生した非常時においては、出入口を通過するためには、連結手段により第１扉に連結した状態にしていた第２扉を分離し、第２扉のみを開放して出入口を通過するようにする。
【００１９】
なお、前述した扉体の形式、構造の第１の例において、連結手段の形式、構造は、任意なものでよい。
【００２０】
連結手段の形式、構造は、例えば、第１扉と第２扉のうち、一方に設けられ、この一方に配置されているラッチ部材を作動させるための操作部材と、他方に設けられ、前記ラッチ部材を受けるラッチ部材受け部と、を含んで構成されるものでもよく、なくてもよい。なお、ラッチ部材受け部は、扉に対して一体となっているものでもよく、別体となっているものでもよい。
【００２１】
ここで、連結手段を構成するラッチ部材とラッチ部材受け部の形式、構造は、任意なものでよい。
【００２２】
ラッチ部材とラッチ部材受け部の形式、構造の第１の例は、ラッチ部材が、第１扉と第２扉のうち、一方に設けられている回動自在な操作部材の軸に配置され、この一方の内部で操作部材とともに回動自在となっているものであり、ラッチ部材受け部が、他方の内部に設けられ、前記ラッチ部材が係合（あるいは嵌合）するものである。
【００２３】
また、ラッチ部材とラッチ部材受け部の形式、構造の第２の例は、ラッチ部材が、第１扉と第２扉のうち、一方に設けられている操作部材に配置され、他方の側へ突出し、一方の側へ没入する突没自在な棒状部材（言い換えると、ロッド棒）であり、ラッチ部材受け部が、他方に設けられ、この他方の側へ突出した前記棒状部材を受ける棒状部材受け部である。
【００２４】
さらに、ラッチ部材とラッチ部材受け部の形式、構造の第３の例は、ラッチ部材が、第１扉と第２扉のうち、一方に設けられている操作部材に配置され、他方の側へ突出し、一方の側へ没入する突没自在なデッドボルトであり、ラッチ部材受け部が、他方に設けられ、この他方の側へ突出した前記デッドボルトが差し込まれる穴部となっているストライク部である。
【００２５】
本発明において、第１扉と第２扉の両方が開き戸であってもよく、第１扉と第２扉の両方が引戸であってもよく、第１扉と第２扉のいずれか一方が開き戸あって、他方が引戸であってもよい。
【００２６】
なお、第１扉と第２扉の両方が、上述したように、開き戸である場合には、第１扉の上端部には、第２扉の下端部が当接する戸当たり部を設けるようにし、この戸当たり部は、第２扉が屋外側から屋内側へ回動することにより、第２扉の下端部が当接するものとなっていることが好ましい。
【００２７】
また、第１扉と第２扉の両方が開き戸である場合には、第１扉は、二軸蝶番により出入口に対して開閉自在とし、全閉位置まで閉じ移動した第１扉は、操作部材の操作により出入口の周縁部に圧接されるようにしてもよく、しなくてもよい。
【００２８】
前者の場合によると、後者の場合と比較して、全閉位置まで閉じ移動した第１扉による止水効果（言い換えると、水密性能）をより向上させることができるようになる。
【００２９】
なお、第２扉についても、二軸蝶番により出入口に対して開閉自在としてもよく、しなくてもよい。
【００３０】
以上の本発明において、第１扉と第２扉とが、連結手段により連結された状態で全閉位置に達しているときであって、第２扉に対して雨水等による屋外側から屋内側への圧力が作用しているとき、連結手段に対して作用する前記圧力を低減させるための圧力低減手段を備えることが好ましい。
【００３１】
これは、第１扉と第２扉とが、連結手段により連結された状態で全閉位置に達しているときであって、第２扉に対して雨水等による屋外側から屋内側への圧力が作用しているときには、連結手段に対して前記圧力が作用することで、第２扉のみを開放させるためにこの第２扉を第１扉から分離させることが困難となるおそれがあるからである。
【００３２】
このため、連結手段に対して作用する前記圧力を低減させるための圧力低減手段を備えることにより、第２扉のみを開放させるためにこの第２扉を第１扉から分離させることが困難となることを防止することができるようになる。
【００３３】
本発明に係る扉体の形式、構造の第２の例は、扉体は、扉体本体と、出入口を通過するために前記扉体本体に形成された開口部に対して開閉自在となっている前記副扉と、を含んで構成されているものである。
【００３４】
この第２の例では、通常時においては、副扉を、例えば、施錠装置により扉体本体に施錠した状態にしておき、これらの扉体本体及び副扉が一体となった扉体を開放して出入口を通過するようにする。一方、集中豪雨や津波等が発生した非常時においては、出入口を通過するためには、施錠装置により扉体本体に施錠した状態にしていた副扉を解錠し、副扉のみを開放して出入口を通過するようにする。
【００３５】
また、この第２の例においては、扉体本体と副扉の両方が開き戸であってもよく、扉体本体と副扉の両方が引戸であってもよく、扉体本体と副扉のいずれか一方が開き戸あって、他方が引戸であってもよい。
【００３６】
なお、扉体本体と副扉の両方が開き戸である場合や、扉体本体が引戸であって副扉が開き戸である場合には、扉体本体に形成された開口部の周縁部には、副扉の周縁部が当接する戸当たり部を設けるようにしてもよく、しなくてもよい。
【００３７】
前者の場合において、戸当たり部は、副扉が屋外側から屋内側へ回動することにより、副扉の周縁部が当接するものとなっていることが好ましい。
【００３８】
これは、副扉に対して雨水等による屋外側から屋内側への圧力が作用したとき、この副扉が屋外側から屋内側へ回動し、雨水等が屋内側へ浸入することを防止するためである。
【００３９】
また、扉体本体と副扉の両方が開き戸である場合や、扉体本体が開き戸であって副扉が引戸である場合には、扉体本体は、二軸蝶番により出入口に対して開閉自在とし、全閉位置まで閉じ移動した扉体本体は、操作部材の操作により出入口の周縁部に圧接されるようにしてもよく、しなくてもよい。
【００４０】
前者の場合によると、後者の場合と比較して、全閉位置まで閉じ移動した扉体本体による止水効果（言い換えると、水密性能）をより向上させることができるようになる。
【００４１】
以上の本発明において、出入口の周縁部のうち、少なくとも下縁部と左縁部と右縁部には、これらの部分と全閉状態となっている扉体との隙間を塞ぐための水密部材を配置するようにしてもよく、しなくてもよい。
【００４２】
なお、扉体の形式、構造が前述した第２の例である場合において、出入口を通過するために扉体本体に形成された開口部のうち、少なくとも下縁部と左縁部と右縁部には、これらの部分と全閉状態となっている副扉体との隙間を塞ぐための水密部材を配置するようにしてもよく、しなくてもよい。
【発明の効果】
【００４３】
本発明によると、雨水や海水等が全閉状態の扉体で止水されている状態において、雨水や海水等を屋内へ浸入させることなく、出入口を通過できるようになるという効果を得られる。
【図面の簡単な説明】
【００４４】
【図１】図１は、本発明の一実施形態に係る止水装置を示す屋外側から見た正面図である。
【図２】図２は、図１で示されている止水装置を屋内側から見た正面図である。
【図３】図３は、図１のＳ３−Ｓ３線断面図である。
【図４】図４は、図１のＳ４−Ｓ４線断面図である。
【図５】図５は、第１扉と第２扉を連結するための連結手段の内部構造が示されている第１扉及び第２扉の平断面図である。
【図６】図６は、図５で示されている連結手段の内部構造を第２扉の一部を破断して示した正面図であって、連結手段により第１扉と第２扉が連結されているときを示す図である。
【図７】図７は、図６と同様に、図５で示されている連結手段の内部構造を第２扉の一部を破断して示した正面図であって、第１扉と第２扉が分離されているときを示す図である。
【図８】図８は、通常時において、連結手段により第１扉と第２扉が連結されている扉体を開放したときを示す図である。
【図９】図９は、非常時において、連結手段により第１扉と連結されている第２扉を第１扉から分離してこの第２扉のみを開放したときを示す図である。
【図１０】図１０は、扉体が扉体本体と副扉とを含んで構成される実施形態に係る止水装置を示す図１と同様の屋外側から見た正面図である。
【図１１】図１１は、図１０の実施形態において、副扉の施錠装置の代わりに、扉体本体と副扉を連結するための連結手段を備えるようにした実施形態を示す図１０と同様の図である。
【図１２】図１２は、第１扉の蝶番が二軸蝶番となっている実施形態に係る止水装置を示す図１と同様の屋外側から見た正面図である。
【図１３】図１３は、図１２で示されている第１扉の二軸蝶番の拡大図を示す図である。
【図１４】図１４は、図１２のＳ１４−Ｓ１４線断面図であって、図１２で示されている第１扉が閉じ移動中となっているときを示す平断面図である。
【図１５】図１５は、図１４で示されている閉じ移動中の第１扉が全閉位置に達したときを示す図１４と同様の図である。
【図１６】図１６は、図１５で示されている第１扉が操作部材の操作により出入口の周縁部に圧接されているときを示す図１５と同様の図である。
【図１７】図１７は、第１扉に設けられていて、第２扉の下端部が当接する戸当たり部の別実施形態を示す図３と同様の図である。
【図１８】図１８は、図１１の実施形態における扉体本体の蝶番が二軸蝶番となっている実施形態に係る止水装置を示す図１１と同様の図である。
【図１９】図１９は、図１の実施形態において、第２扉を開放した後に出入口を通過するための梯子部と手摺部が備えられている実施形態に係る止水装置を示す図１と同様の図である。
【図２０】図２０は、図１の実施形態において、圧力低減手段を備えた実施形態に係る止水装置を示す図４と同様の図である。
【図２１】図２１は、図２０において、第１扉に対して雨水等による屋外側から屋内側への圧力が作用しているときの圧力低減手段の動作を示す図である。
【発明を実施するための形態】
【００４５】
以下に本発明を実施するための形態を図面に基づいて説明する。図１には、本発明の一実施形態に係る止水装置１を屋外側から見た正面図が示されており、図２には、本発明の一実施形態に係る止水装置１を屋内側から見た正面図が示されている。
【００４６】
この止水装置１は、建物等の構造物である地下街の店舗、ビルや住宅等の出入口（居室の出入口を含む）２への屋外側からの雨水、氾濫した河川の水、海水等の浸入を阻止するために設置されるものである。
【００４７】
この止水装置１に備えられている開き戸である扉体（言い換えると、ドア）３は、出入口２に対して開閉自在となっており、この扉体３を全閉位置まで閉じ移動させることにより、屋外側からの雨水等の浸入が阻止される（言い換えると、雨水等が止水される）。
【００４８】
出入口２の上辺部（言い換えると、上縁部）を形成する天井４には、上枠部材８が取り付けられ、出入口２の左右の側辺部（言い換えると、左縁部と右縁部）を形成する建物躯体である側壁５，６には、左右の側枠部材９，１０が取り付けられている。また、出入口２の下辺部（言い換えると、下縁部）を形成する床７における屋内側の部分には、下枠部材１１が取り付けられている。なお、本実施形態では、上枠部材８と左右の側枠部材９，１０は一体となっている。
【００４９】
本実施形態では、扉体３は、開き戸となっている第１扉である扉１２と、この扉１２よりも上方に配置されている開き戸となっている第２扉である扉１３と、を含んで構成されている。
【００５０】
扉１３は、扉１２に対して具体的な構造を後述する連結手段３０により連結、分離自在となっているが、通常、これらの扉１２，１３同士は、連結手段３０により連結されて一体となっており、出入口２は、扉１２，１３同士が一体となっている状態の扉体３によって開閉される。
【００５１】
なお、扉１２，１３同士が一体となっている状態の扉体３の開閉操作は、扉１３の屋外側の面１３Ａと屋内側の面１３Ｂにそれぞれ配置されている操作部材であるハンドル部材１６を回動させることにより行われる。
【００５２】
また、扉１３には、扉１２，１３同士が一体となっている状態の扉体３を施錠、解錠するための施錠装置１７が配置されており、屋内側から扉体３を施錠、解錠するためには、扉１３の屋内側の面１３Ｂに配置されている施錠装置１７のサムターン１７Ａを回動させることにより行い、屋外側から扉体３を施錠、解錠するためには、扉１３の屋外側の面１３Ａに配置されている施錠装置１７の鍵穴１７Ｂに合鍵を挿入、回動させることにより行う。
【００５３】
なお、図２に示されているように、上枠部材８の屋外側の下面８Ａと、扉１３の屋内側の面１３Ｂの上部には、ドアクローザー１８が配置されている。
【００５４】
扉１２は、左の側枠部材９に配置された上下２個の蝶番１４により出入口２に対して開閉自在となっており、扉１３も、左の側枠部材９に配置された上下２個の蝶番１５により出入口２に対して開閉自在となっている。
【００５５】
このため、扉１３が扉１２から分離された状態となっているときには、これらの扉１２，１３は、出入口２に対して互いに独立して開閉自在となる。
【００５６】
図３は、図１のＳ３−Ｓ３線断面図である。
【００５７】
この図３に示されているように、扉１２の上端部１９には、この扉１２の厚さ方向である前後方向（図３では左右方向）であって屋外側（図３に示す屋外空間Ｓ１側）から屋内側（図３に示す屋内空間Ｓ２側）へ向かう方向への下りの段差となっている段部２０が形成されているため、扉１２の上端部１９は、上側の薄肉部２１と、下側の厚肉部２２とからなる。
【００５８】
この段部２０は、扉１２の幅方向である左右方向全長に渡って形成されている。言い換えると、扉１２の上端部１９のうち、屋内側の部分は上方に延出した上方延出部２１となっており、屋外側の部分は、切り欠かれた切欠部となっている。
【００５９】
一方、扉１３の下端部２３には、この扉１３の厚さ方向である前後方向であって屋内側から屋外側へ向かう方向への下りの段差となっている段部２４が形成されているため、扉１３の下端部２３は、下側の薄肉部２５と、上側の厚肉部２６とからなる。
【００６０】
この段部２４は、扉１３の幅方向である左右方向全長に渡って形成されている。言い換えると、扉１３の下端部２３のうち、屋外側の部分は下方に延出した下方延出部２５となっており、屋内側の部分は、切り欠かれた切欠部となっている。
【００６１】
次に、扉１３を扉１２に対して連結、分離自在とするための連結手段３０、言い換えると、扉１２，１３同士を連結、分離自在とするための連結手段３０について説明する。
【００６２】
図１及び図２に示されているように、本実施形態では、連結手段３０は２個備えられ、これらの連結手段３０は左右対称の構造を有しているため、一方（図１では右側）の連結手段３０の構造について説明する。
【００６３】
図４は、図１のＳ４−Ｓ４線断面図である。また、図５は、連結手段３０の内部構造が示されている扉１２，１３の平断面図であり、図６は、図５で示されている連結手段３０の内部構造を扉１３の一部を破断して示した正面図であって、連結手段３０により扉１２と扉１３が連結されているとき（図１〜図５で示されている状態）を示す図である。
【００６４】
図１及び図２に示されているように、扉１２の上端部１９の近傍には、扉１２，１３同士を連結、分離操作するための操作部材であるハンドル部材３１が配置されている。
【００６５】
図１及び図２に示されているように、把持部３２（図３〜図６参照）を有するハンドル部材３１は、扉１２の屋外側の面１２Ａと屋内側の面１２Ｂの両方に配置されており、これらのハンドル部材３１は、図３及び図４に示す扉１２の上端部１９に形成された図４及び図５で示されている空間部２７を貫通して配置されている軸３３を中心に、図１及び図２に示す矢印Ａ方向に約４５度回動自在となっている。
【００６６】
また、図４及び図５に示されているように、ハンドル部材３１の軸３３における扉１２の空間部２７の屋外側（言い換えると、屋外空間Ｓ１側）の部分には、軸３３の軸方向（言い換えると、扉１２の厚さ方向）と直交する方向に延びる棒状のラッチ部材３５が立設されている。
【００６７】
このため、ラッチ部材３５は、図１及び図２に示す矢印Ａ方向に約４５度回動自在となっているハンドル部材３１とともに、図１及び図２に示す矢印Ｂ方向に約４５度回動自在となっている。
【００６８】
図４〜図６に示されているように、軸３３を中心に回動自在となっているラッチ部材３５のうち、図示されていない先細り部となっている上部には、この上部に対して回転自在となっているローラ３６が配置されている。
【００６９】
前述したように、扉１２の上端部１９には空間部２７が形成されているが、扉１３の下端部２３には空間部２８が形成されている（図４参照）。
【００７０】
扉１２の上端部１９の図３に示す厚肉部２２の上面部２２Ａのうち、空間部２７が形成されている部分は、図４に示すように、開口部２２Ｂとなっており、一方、扉１３の下端部２３の図３に示す薄肉部２５の下面部２５Ａのうち、空間部２８が形成されている部分は、図４に示すように、開口部２５Ｂとなっている。
【００７１】
このため、ハンドル部材３１を回動操作させることにより、ローラ３６を有するラッチ部材３５は、図４や図６で示されている扉１２の上端部１９の空間部２７と、扉１３の下端部２３の空間部２８を回動することになる。
【００７２】
なお、図３〜図５で示されているように、扉１２の屋外側の面１２Ａと屋内側の面１２Ｂには、ハンドル部材３１の軸３３の軸受け部３４がそれぞれ配置されている。
【００７３】
前述した図３で示されている扉１３の下端部２３の薄肉部２５において、図４で示されている空間部２８が形成されている部分の表面材のうち、屋内側の表面材１３Ｃの内側面部１３Ｄ（図３〜図５参照）には、ラッチ部材３５を受ける図４及び図５に示すラッチ部材受け部材３７がビス等の止着具３８（図５参照）により取り付けられている。
【００７４】
本実施形態に係るラッチ部材受け部を形成するものとなっているこのラッチ部材受け部材３７は、図５から分かるように、屋外空間Ｓ１側へ上り傾斜した傾斜部３７Ａと、この傾斜部３７Ａの頂上部から平坦となっている平坦部３７Ｂと、この平坦部３７Ｂの先端部から屋外空間Ｓ１側へ突出した突片部３７Ｃと、を有するものとなっている。
【００７５】
次に、扉１２と扉１３を連結するための連結手段３０の動作について説明する。
【００７６】
図７は、図６と同様に、図５で示されている連結手段３０の内部構造を扉１３の一部を破断して示した正面図であって、扉１２と扉１３が分離されているときを示す図であり、図６で示されているハンドル部材３１の把持部３２を反時計回りの方向に９０度回動させたときを示す図となっている。
【００７７】
この図７に示されているように、扉１２と扉１３が分離されているときには、連結手段３０を構成するハンドル部材３１の把持部３２は、下向き（言い換えると、鉛直方向）の姿勢となっており、一方、ハンドル部材３１の軸３３に立設されたラッチ部材３５は水平の姿勢となっている。なお、ハンドル部材３１は、図７の状態において、空間部２７に配置されている図示しないストップ部材によって、これ以上反時計回りの方向に回動することが阻止されている。
【００７８】
図６で示されている状態において、扉１２と扉１３を連結するためには、ハンドル部材３１を時計回りの方向に９０度回動させる。
【００７９】
ハンドル部材３１を時計回りの方向に回動させていくと、このハンドル部材３１の把持部３２と９０度の角度をなすラッチ部材３５のローラ３６は、ラッチ部材受け部材３７に転動しながら接触することになる。
【００８０】
図示されていないが、本実施形態では、図７で示されているときにおけるラッチ部材３５の扉１２，１３の厚さ方向の位置は、図４や図５で示されている位置よりも、図５に示すラッチ部材受け部材３７の傾斜部３７Ａの高さ分だけ、屋内空間Ｓ２側へずれたものとなっている。
【００８１】
このため、ハンドル部材３１を時計回りの方向に回動させていくと、ラッチ部材３５のローラ３６は、まず、ラッチ部材受け部材３７の傾斜部３７Ａを転動することになる。さらに、ハンドル部材３１を時計回りの方向に回動させていくと、ラッチ部材３５のローラ３６は、ラッチ部材受け部材３７の平坦部３７Ｂに乗り上げた後、ラッチ部材受け部材３７の突片部３７Ｃに当接するまで、この平坦部３７Ｂを転動することになる。
【００８２】
図５及び図６で示されているように、ラッチ部材３５のローラ３６がラッチ部材受け部材３７の突片部３７Ｃに当接したとき、扉１２と扉１３が連結された状態となる。
【００８３】
前述したように、図７で示されているときにおけるラッチ部材３５の扉１２，１３の厚さ方向の位置は、図４や図５で示されている位置よりも、図５に示すラッチ部材受け部材３７の傾斜部３７Ａの高さ分だけ、屋内空間Ｓ２側へずれたものとなっている。
【００８４】
このため、ラッチ部材３５のローラ３６が、ラッチ部材受け部材３７の傾斜部３７Ａを転動したときから、このローラ３６は、ラッチ部材受け部材３７を屋内空間Ｓ２側へ押圧することになり、この押圧力は、ラッチ部材受け部材３７の平坦部３７Ｂに乗り上げた以降最大となる。
【００８５】
このように、ラッチ部材受け部材３７に対して、ラッチ部材３５のローラ３６の押圧力が作用することにより、図３に示す扉１３の下端部２３の薄肉部２５は、扉１２の上端部１９の薄肉部２１に密着することになり、扉１２と扉１３の連結状態は強固なものとなる。
【００８６】
以上は、扉１２と扉１３を連結するために、図１で示されている扉１２の屋外側の面１２Ａに左右２個配置されている連結手段３０を構成するハンドル部材３１のうち、一方である右側のハンドル部材３１を回動操作させることについての説明であったが、扉１２と扉１３を連結するためには、他方である左側のハンドル部材３１についても回動操作（右側のハンドル部材３１とは異なり、反時計回りの方向に９０度回動させる操作）を行う。
【００８７】
また、以上は、扉１２と扉１３を連結するために、扉１２の屋外側の面１２Ａに左右２個配置されているハンドル部材３１を回動操作させることについての説明であったが、扉１２と扉１３を連結することは、図２で示されている扉１２の屋内側の面１２Ｂに左右２個配置されているハンドル部材３１を回動操作させることによっても行うことができる。
【００８８】
本実施形態に係る止水装置１では、集中豪雨や津波等が発生した非常時以外の通常時（言い換えると、平常時）においては、図８で示されているように、扉体３は、扉１２と扉１３同士を連結手段３０で連結した状態で使用するものとなっている。
【００８９】
すなわち、本実施形態に係る止水装置１では、通常時においては、出入口２は、扉１２と扉１３同士が連結手段３０で連結された扉体３によって開閉されるものとなっている。
【００９０】
なお、図８で示されているように、扉体３を開閉するには、扉１３に配置されているハンドル部材１６を回動操作することにより行い、また、扉体３を施錠、解錠するには、扉１３に配置されている施錠装置１７を操作することにより行う。
【００９１】
一方、集中豪雨や津波等が発生した非常時においては、前述の図１で示されているように、扉１２と扉１３同士が連結手段３０で連結された扉体３で出入口２を閉鎖することにより、屋外側からの雨水、氾濫した河川の水、海水等が出入口２に浸入することが阻止されるようになっている。
【００９２】
ところで、前述したように、従来においては、雨水や海水等が全閉状態の扉体で止水されている状態において、屋内に居る人間が屋外へ脱出したい場合や、屋外に居る人間が屋内の様子を見るために屋内へ入りたい場合には、全閉状態の扉体を開放させる必要があるが、雨水や海水等の水圧で扉体を開放させることは容易ではなく、雨水や海水等が引くまで待つ必要がある。また、扉体を開放させることができたとしても、これでは雨水や海水等が屋内へ浸入してしまうことになる。
【００９３】
しかし、本実施形態では、屋外側からの雨水、氾濫した河川の水、海水等が出入口２に浸入することを阻止するためにこの出入口２を閉鎖している扉体３を構成するものであって、連結手段３０により連結された状態となっている扉１２と扉１３は、ハンドル部材３１を操作することにより分離させることができるようになっている。
【００９４】
すなわち、図１及び図２で示されている左右のハンドル部材３１のうち、右側のハンドル部材３１を反時計回りの方向に９０度回動させるとともに、左側のハンドル部材３１を時計回りの方向に９０度回動させることにより、連結手段３０により連結された状態となっていた扉１２と扉１３は、分離された状態とすることができる。
【００９５】
このため、図９で示されているように、屋外側から、２点鎖線で示されている雨水や海水等４１が下の扉１２の高さ付近まで流入し、この扉１２に対して、２点鎖線で示されている雨水や海水等４１の水圧が作用している状態となっていても、上の扉１３に配置されているハンドル部材１６を回動操作することによってこの扉１３のみを開放することができる。
【００９６】
これにより、出入口２の上部が開口するため、屋内に居る人間が屋外へ脱出することが可能となり、また、屋外に居る人間が屋内の様子を見るために屋内へ入ることが可能となる。
【００９７】
前述したように、図３で示されている扉１２の上端部１９には、この扉１２の厚さ方向である前後方向であって屋外側から屋内側へ向かう方向への下りの段差となっている段部２０が形成されているため、扉１２の上端部１９は、上側の薄肉部２１と、下側の厚肉部２２とからなる。一方、図３で示されている扉１３の下端部２３には、この扉１３の厚さ方向である前後方向であって屋内側から屋外側へ向かう方向への下りの段差となっている段部２４が形成されているため、扉１３の下端部２３は、下側の薄肉部２５と、上側の厚肉部２６とからなる。
【００９８】
このため、図９で示されている状態において、屋外側へ開放した扉１３を再び全閉位置まで閉鎖させたときには、扉１３の下端部２３の薄肉部２５が、全閉状態の扉１２の上端部１９の薄肉部２１に当接することになる。
【００９９】
このため、本実施形態では、扉１２の上端部１９に設けられている薄肉部２１は、扉１３が屋外側から屋内側へ回動することにより、この扉１３の下端部２３に設けられている薄肉部２５が当接する戸当たり部となっている。
【０１００】
このように、本実施形態では、第１扉である扉１２の上端部１９には、第２扉である扉１３の下端部２３が当接する戸当たり部が設けられており、この戸当たり部は、扉１３が屋外側から屋内側へ回動することにより、扉１３の下端部２３の薄肉部２５が当接するものとなっている。
【０１０１】
なお、本実施形態では、扉１２には、この扉１２のみを施錠するための施錠装置は設けられていないが、図９で示されている状態においては、扉１２は、この扉１２に対して２点鎖線で示されている雨水や海水等４１の水圧が作用するため、扉１２が屋外側へ回動して出入口２が開放することはない。
【０１０２】
以上説明したように、本実施形態に係る止水装置１に備えられている扉体３は、雨水等の浸入を阻止するために出入口２がこの扉体３により閉鎖されているとき、すなわち、雨水等が全閉状態の扉体３で止水されている状態において、出入口２を通過するための副扉である扉１３を備えて構成されている。
【０１０３】
これにより、屋内に居る人間が屋外へ脱出したい場合や、屋外に居る人間が屋内の様子を見るために屋内へ入りたい場合には、雨水等の水圧が掛かった全閉状態の扉体３を開放させる必要はなく、扉１３のみを開放させればよい。
【０１０４】
このため、出入口２を容易に通過することができるとともに、雨水等が屋内へ浸入するおそれはなくなる。
【０１０５】
このように、本実施形態によると、雨水や海水等が全閉状態の扉体３で止水されている状態において、雨水や海水等を屋内へ浸入させることなく、出入口２を通過できるようになる。
【０１０６】
図１０は、以上説明した図１〜図９で示されている止水装置１の別実施形態を示す図１と同様の図（屋外側から見た正面図）である。
なお、以下で説明する各実施形態における装置、部材のうち、図１〜図９で示されている前述の実施形態と同じ装置、部材については、同じ符号を付し、その説明は省略する。
【０１０７】
本実施形態に係る止水装置５１では、出入口２に対して開閉自在となっている扉体５２は、開き戸である扉体本体５３と、出入口２を通過するために扉体本体５３に形成された開口部５４に対して開閉自在となっている開き戸である副扉５５と、を含んで構成されている。
【０１０８】
図１０で示されているように、扉体本体５３は、左の側枠部材９に配置された上下２個の蝶番５６により出入口２に対して開閉自在となっており、副扉５５は、開口部５４の左縁部５４Ｃに配置された上下２個の蝶番５７により開口部５４に対して開閉自在となっている。
【０１０９】
また、図１０で示されているように、扉体本体５３の屋外側の面５３Ａと、この面５３Ａとは反対側の面である屋内側の面（図示されず）には、この扉体本体５３を開閉操作するための操作部材であるハンドル部材１６が配置されている。また、扉体本体５３には、この扉体本体５３を、屋外側と屋内側から施錠、解錠するための施錠装置１７が配置されている。
【０１１０】
この扉体本体５３と同様に、副扉５５の屋外側の面５５Ａと、この面５５Ａとは反対側面である屋内側の面（図示されず）には、この副扉５５を開閉操作するための操作部材であるハンドル部材５８が配置されている。また、副扉５５には、この副扉５５を屋外側と屋内側から施錠、解錠するための施錠装置５９が配置されている。
【０１１１】
なお、副扉５５に配置されているハンドル部材５８と施錠装置５９は、扉体本体５３に配置されているハンドル部材１６と施錠装置１７と同様の形式、構造を有するものとなっている。
【０１１２】
なお、開口部５４の周縁部である上縁部５４Ａと、下縁部５４Ｂと、左縁部５４Ｃと、右縁部５４Ｄのそれぞれは、副扉５５の周縁部である上縁部５５Ｂと、下縁部５５Ｃと、左縁部５５Ｄと、右縁部５５Ｅのそれぞれが当接する戸当たり部となっており、これらの戸当たり部５４Ａ，５４Ｂ，５４Ｃ，５４Ｄは、副扉５５が屋外側から屋内側へ回動する（言い換えると、閉鎖する）ことにより、副扉５５の周縁部５５Ｂ，５５Ｃ，５５Ｄ，５５Ｅが当接するものとなっている。
【０１１３】
本実施形態に係る止水装置５１では、集中豪雨や津波等が発生した非常時以外の通常時においては、図１０で示されているように、扉体５２は、副扉５５を施錠装置５９で施錠した状態、言い換えると、扉体本体５３と副扉５５同士を施錠装置５９で連結した状態で使用するものとなっている。
【０１１４】
すなわち、本実施形態に係る止水装置５１では、通常時においては、出入口２は、扉体本体５３と副扉５５同士が施錠装置５９で連結された扉体５２によって開閉されるものとなっている。
【０１１５】
一方、集中豪雨や津波等が発生した非常時においては、扉体本体５３と副扉５５同士が施錠装置５９で連結された扉体５２で出入口２を閉鎖することにより、屋外側からの雨水、氾濫した河川の水、海水等が出入口２に浸入することが阻止されるようになっている。
【０１１６】
このため、屋外側から雨水や海水等が、図１０で示されている副扉５５の下縁部（言い換えると、下端部）５５Ｃの高さ付近まで流入し、扉体本体５３に対して、雨水や海水等の水圧が作用している状態となっていても、副扉５５を解錠した後、この副扉５５に配置されているハンドル部材５８を回動操作することによってこの副扉５５のみを開放することができる。
【０１１７】
これにより、扉体本体５３の開口部５４が開口するため、屋内に居る人間が屋外へ脱出することが可能となり、また、屋外に居る人間が屋内の様子を見るために屋内へ入ることが可能となる。
【０１１８】
なお、本実施形態に係る止水装置５１では、副扉５５には、この副扉５５を施錠するための施錠装置５９が備えられているため、図１〜図９に示されている前述の実施形態に係る止水装置１に備えられている連結手段３０のように、副扉５５を扉体本体５３と連結、分離自在とするための連結手段は不要となっている。
図１１は、図１０で示されている実施形態に係る止水装置５１において、副扉５５を施錠するための施錠装置５９を備えずに、図１〜図９に示されている前述の実施形態に係る止水装置１に備えられている連結手段３０を備えた実施形態を示す図１０と同様の図である。
【０１１９】
図示されていないが、本実施形態に係る止水装置５１´では、扉体本体５３の開口部５４の下縁部５４Ｂは、前述の実施形態に係る止水装置１の扉１２の上端部１９（図３参照）と同様に、扉体本体５３の厚さ方向であって屋外側から屋内側へ向かう方向への下りの段差となっている段部が形成されているため、扉体本体５３の開口部５４の下縁部５４Ｂは、上側の薄肉部と、下側の厚肉部とからなっている。そして、この段部は、扉体本体５３の開口部５４の下縁部５４Ｂの幅方向である左右方向全長に渡って形成されている。
【０１２０】
一方、副扉５５の下縁部（言い換えると、下端部）５５Ｃには、この副扉５５の厚さ方向であって屋内側から屋外側へ向かう方向への下りの段差となっている段部が形成されているため、副扉５５の下縁部５５Ｃは、下側の薄肉部と、上側の厚肉部とからなる。そして、この段部は、副扉５５の幅方向である左右方向全長に渡って形成されている。
【０１２１】
また、前述の実施形態に係る止水装置１の扉１２の上端部１９（図４参照）と同様に、扉体本体５３の開口部５４の下縁部５４Ｂには、空間部２７が形成されている。一方、前述の実施形態に係る止水装置１の扉１３の下端部２３（図４参照）と同様に、副扉５５の下縁部５５Ｃには、空間部２８が形成されている。
【０１２２】
そして、前述の実施形態に係る止水装置１と同様に、扉体本体５３の開口部５４の下縁部５４Ｂの近傍には、副扉５５と扉体本体５３を連結、分離操作するための操作部材であるハンドル部材３１が配置されており、連結手段３０を構成するこれらのハンドル部材３１の回動中心軸３３（図４〜図６参照）と、この軸３３に立設されているローラ３６を有するラッチ部材３５（図４〜図６参照）は、扉体本体５３の開口部５４の下縁部５４Ｂに形成された上述の空間部２７に配置されている。一方、ラッチ部材３５を受けるラッチ部材受け部材３７（図４〜図６参照）は、副扉５５の下縁部５５Ｃに形成された上述の空間部２８に配置されている。
【０１２３】
図１２は、図１の実施形態に係る止水装置１の扉１２の蝶番が二軸蝶番となっている実施形態を示す図１と同様の屋外側から見た正面図である。
【０１２４】
この図１２で示されているように、本実施形態に係る止水装置６１では、扉１２は、上下２個の二軸蝶番６２により出入口２に対して開閉自在となっている。
【０１２５】
図１３は、図１２で示されている二軸蝶番６２の拡大図を示す図である。
【０１２６】
この図１３で示されているように、二軸蝶番６２は、扉１３の上下２個の蝶番１５が配置されている側である左側の側枠部材９に配置されている第１回動軸６３と、扉１２に配置されている第２回動軸６５とを有している。 第１回動軸６３の上部と下部は、側枠部材９の屋外側の面部に取り付けられた上下一対の軸受部材６４に支持され、第２回動軸６５の上部と下部は、扉１２の屋外側の面１２Ａに取り付けられた上下一対の軸受部材６６に支持されている。
【０１２７】
これらの第１及び第２回動軸６３，６５の中央部同士は、連結部材６７によって回動自在に連結されているため、扉１２は、連結部材６７を介して第１回動軸６３を中心に側枠部材９に対して回動自在となっているとともに、第２回動軸６５を中心に連結部材６７に対しても回動自在となっている。これにより、扉１２は、出入口２に向かって平行移動可能となっている。
【０１２８】
図１４は、図１２のＳ１４−Ｓ１４線断面図であって、扉１２が閉じ移動中となっているときを示す平断面図である。
【０１２９】
この図１４で示されているように、扉１２は、連結部材６７を介して第１回動軸６３を中心に、軸受部材６６に支持された第２回動軸６５とともに、側枠部材９に対して回動する。
【０１３０】
図１５は、図１４で示されている閉じ移動中の扉１２が全閉位置に達したときを示す図１４と同様の図である。
【０１３１】
本実施形態では、全閉位置まで閉じ移動した扉１２による止水効果（言い換えると、水密性能）をより向上させるための図１２で示されている操作部材であるハンドル部材７０が備えられている。このハンドル部材７０は、ハンドル部材１６と同様に、扉１２の屋外側の面１２Ａと屋内側の面１２Ｂにそれぞれ配置されている。
【０１３２】
図示されていないが、扉１２の屋内側の面１２Ｂに配置されているハンドル部材７０は、連結手段３０と同様に、先端部にローラが配置されているラッチ部材を有している。一方、図示されていないが、側枠部材１０における屋内側の面には、ハンドル部材７０のラッチ部材を受けるラッチ部材受け部材がビス等の止着具により取り付けられている。
【０１３３】
ラッチ部材受け部を形成している縦長形状のラッチ部材受け部材は、図示されていないが、下から、屋内空間Ｓ２側へ上り傾斜した傾斜部と、この傾斜部の頂上部から平坦となっている平坦部と、この平坦部の先端部から屋内空間Ｓ２側へ突出した突片部と、を有するものとなっている。
【０１３４】
通常時において、室外側と室内側のハンドル部材７０は、２点鎖線で示されているように水平姿勢となっており、非常時には、室外側のハンドル部材７０を反時計回りの方向に回動させる、又は、室内側のハンドル部材７０を時計回りの方向に回動させることにより、このハンドル部材７０のラッチ部材のローラが、側枠部材１０のラッチ部材受け部材の平坦部に乗り上げた後、突片部に当接する。これにより、ハンドル部材７０の回動は停止し、このハンドル部材７０は、図１２の実線で示されている姿勢となる。
【０１３５】
ハンドル部材７０のラッチ部材のローラが、ラッチ部材受け部材の平坦部に乗り上げることにより、扉１２には屋内空間Ｓ２の側への圧力が作用することになる。
【０１３６】
これにより、扉１２は、二軸蝶番６２により、図１５で示されている状態から、出入口２に向かって平行移動した後、図１６で示されているように、扉１２は、出入口２の周縁部に配置されている水密部材４０に圧接された状態となる。
【０１３７】
本実施形態によると、図１の実施形態と比較して、全閉位置まで閉じ移動した扉１２による止水効果（言い換えると、水密性能）をより向上させることができるようになる。
【０１３８】
図１７は、第１扉に設けられていて、第２扉の下端部が当接する戸当たり部の別実施形態を示す図３と同様の図である。
【０１３９】
この図１７で示されているように、本実施形態に係る止水装置７１では、扉体７２を構成する第１扉である扉７３と第２扉である扉７４のうち、扉７３の上端部７５には、図３の実施形態の扉１２と同様に、段部７６が形成されており、この扉７３の上端部７５は、上側の薄肉部７７と、下側の厚肉部７８とからなっている。しかし、本実施形態では、この扉７３の上側の薄肉部７７の厚さ寸法は、図３の実施形態の扉１２の上側の薄肉部２１厚さ寸法よりも小さくなっている。
【０１４０】
一方、扉７４の厚さ寸法は、図３の実施形態の扉１３の厚さ寸法よりも小さくなっている。そして、この扉７４の下端部７９には、図３の実施形態の扉１３の下端部２３に形成されている段部２４は形成されていない。
【０１４１】
このため、本実施形態では、扉７３の上端部７５の薄肉部７７が、扉７４の下端部７９が当接する戸当たり部となる。
【０１４２】
本実施形態によると、扉７４の下端部７９の形状を簡単化することができるようになる。
【０１４３】
図１８は、図１０の実施形態における扉体本体５３の上下２個の蝶番５６が、二軸蝶番となっている実施形態に係る止水装置５１´´を示す図１０と同様の図である。
【０１４４】
この図１８に示されているように、本実施形態に係る止水装置５１´´に備えられている二軸蝶番６２は、図１１の実施形態に係る二軸蝶番６２と同様のものとなっている。
【０１４５】
また、本実施形態に係る止水装置５１´´では、図１２の実施形態と同様に、全閉位置まで閉じ移動した扉体５２の扉体本体５３による止水効果をより向上させるための操作部材であるハンドル部材７０が備えられており、このハンドル部材７０は、扉体本体５３の屋外側の面５３Ａと屋内側の面にそれぞれ配置されている。
【０１４６】
本実施形態によると、扉体本体５３は、二軸蝶番６２により出入口２に対して開閉自在となっており、全閉位置まで閉じ移動した扉体本体５３は、ハンドル部材７０の回動操作により、出入口２の周縁部に配置されている水密部材４０に圧接された状態となる。
【０１４７】
図１９は、図１の実施形態において、扉１３を開放した後に出入口２を通過するための梯子部８２と手摺部８３が備えられている実施形態に係る止水装置８１を示す図１と同様の図である。
【０１４８】
非常時において、扉１３のみを開放して出入口２を通過しようとする場合には、開放した扉１３の下にある扉１２を跨いで出入口２を通過する必要があり、このため、出入口２を通過することは容易ではない。
【０１４９】
扉１２を跨がずに出入口２を通過する方法として、例えば、予め倉庫等に保管してある脚立や梯子等を出入口２の前の床７に設置する方法がある。
【０１５０】
しかし、この方法では、倉庫等から脚立や梯子等を出入口２の前まで持ってくる作業と、持ってきた脚立を組み立てたり、持ってきた梯子を扉１２に掛ける等の作業等が必要となる。
【０１５１】
本実施形態では、このような作業が不要となり、出入口２を通過しようとする人は、屋外側と屋内側の側壁６にそれぞれ配置されている手摺部（言い換えると、手掛け部）８３に手を掛けるとともに、扉１２の屋外側の面１２Ａと屋内側の面１２Ｂにそれぞれ配置されている梯子部（言い換えると、足掛け部）８２に足を掛けて扉１２をよじ登るようにすればよい。
【０１５２】
なお、本実施形態において、梯子部８２や手摺部８３は、金属製のパイプ等の折り曲げで形成されているが、これらの梯子部８２や手摺部８３は、水に濡れても滑らない加工を施すことが好ましい。
【０１５３】
なお、梯子部８２や手摺部８３は、前述の図１０や図１１の実施形態に係る止水装置５１，５１´においても備えるようにしてもよい。
【０１５４】
この場合には、梯子部８２は、例えば、扉体本体５３の屋外側の面５３Ａと屋内側の面における副扉５５よりも下側の部分に配置する。また、手摺部８３は、例えば、屋外側と屋内側の側壁６に配置してもよく、扉体本体５３の屋外側の面５３Ａと屋内側の面における副扉５５よりも右側の部分に配置してもよい。
【０１５５】
なお、梯子部や手摺部の形式、構造は、図１９で示されている梯子部８２や手摺部８３に限定されるものでなく、梯子部や手摺部は、任意な形式、構造のものでよい。
【０１５６】
図２０は、図１の実施形態の扉１２と扉１３とが、連結手段３０により連結された状態で全閉位置に達しているときであって、扉１２に対して雨水等による屋外側から屋内側への圧力（言い換えると、水圧）が作用しているとき、連結手段３０に対して作用する前記圧力を低減させるための圧力低減手段が備えられている実施形態に係る止水装置９１を示す図４と同様の図である。
【０１５７】
非常時において、扉１２と扉１３とが、連結手段３０により連結された状態で全閉位置に達しているときであって、扉１２に対して雨水等による屋外側から屋内側への圧力が作用しているときには、連結手段３０のラッチ部材３５とラッチ部材受け部材３７との係合状態が強固なものとなり、このため、ハンドル部材３１を回動操作することが困難となるおそれがある。すなわち、連結状態の扉１２と扉１３を分離することが困難となるおそれがある。
【０１５８】
図２０で示されているように、本実施形態では、扉１３の下端部２３に形成されている空間部２８´の扉１３の厚さ方向の寸法は、図４の実施形態の空間部２８の扉１３の厚さ方向の寸法よりも大きくなっており、このため、扉１３の下端部２３に形成されている開口部２５Ｂ´の扉１３の厚さ方向の寸法は、図４の実施形態の扉１３の下端部２３に形成されている開口部２５Ｂの扉１３の厚さ方向の寸法よりも大きくなっている。
【０１５９】
一方、扉１２の上端部１９に形成されている開口部２２Ｂ´の扉１２の厚さ方向の寸法は、図４の実施形態の扉１２の上端部１９に形成されている開口部２２Ｂの扉１２の厚さ方向の寸法よりも大きくなっている。
【０１６０】
前述したように、図１の実施形態では、ラッチ部材受け部材３７は、図３で示されている扉１３の下端部２３の薄肉部２５において、図４で示されている空間部２８が形成されている部分の表面材のうち、屋内側の表面材１３Ｃの内側面部１３Ｄ（図３〜図５参照）に、ビス等の止着具３８（図５参照）により取り付けられている。
【０１６１】
しかし、本実施形態では、ラッチ部材受け部材３７は、図２０で示されているように、空間部２８´に配置されている取付部材である板状部材９２に取り付けられている。そして、この板状部材９２と屋内側の表面材１３Ｃとの間には、弾性部材であるばね９３が配置されており、このばね９３の一端は、板状部材９２に係止されているとともに、他端は、屋内側の表面材１３Ｃの内側面部１３Ｄに係止されている。
【０１６２】
図２１は、図２０において、扉１２に対して雨水等による屋外側から屋内側への圧力が作用しているときの圧力低減手段の動作を示す図である。
【０１６３】
図２０で示されているように、扉１２に対して雨水等による屋外側から屋内側への矢印Ｃ方向の大きな圧力、すなわち、水圧が作用したときには、この扉１２は、図２１で示されているように屋内空間Ｓ２の側の方向である矢印Ｃ方向にスライドするおそれがある。
【０１６４】
図１の実施形態では、扉１２が水圧で矢印Ｃ方向にスライドすることにより、ラッチ部材受け部材３７には、ラッチ部材３５からのＣ方向への押圧力が作用することになる。これにより、ラッチ部材３５とラッチ部材受け部材３７との係合状態が強固なものとなり、ハンドル部材３１を回動操作することが困難となるおそれがある。
【０１６５】
しかし、本実施形態では、扉１２が水圧で矢印Ｃ方向にスライドすることにより、ラッチ部材３５も、図２１で示されているように、矢印Ｃ方向にスライドすることになる。
【０１６６】
これにより、ラッチ部材受け部材３７には、ラッチ部材３５からの矢印Ｃ方向への押圧力が作用することになるが、ラッチ部材受け部材３７も、この押圧力で、ばね９３にばね力を蓄圧させながら、矢印Ｃ方向へスライドすることになる。
【０１６７】
これにより、連結手段３０のラッチ部材３５とラッチ部材受け部材３７との係合状態は、図１の実施形態と比較して緩いものとなり、ハンドル部材３１を回動操作することが困難となるおそれはなくなる。
【０１６８】
このように、本実施形態では、ラッチ部材受け部材３７を扉１３の下端部２３に取り付けるための取り付け部材である板状部材９２と、この板状部材９２と、扉１３の下端部２３の屋内側の表面材１３Ｃとの間に配置されている弾性部材であるばね９３は、圧力低減手段９４を構成するものとなっている。
【０１６９】
なお、図２０及び図２１で示されている圧力低減手段９４は、扉１２が二軸蝶番６２により出入口２に対して開閉自在となっている前述の図１２の実施形態においても、備えることが好ましい。
【０１７０】
なお、圧力低減手段の形式、構造は、図２０及び図２１で示されているものに限定されるものではなく、圧力低減手段は、扉１２と扉１３とが、連結手段３０により連結された状態で全閉位置に達しているときであって、扉１２に対して雨水等による屋外側から屋内側への圧力が作用しているとき、連結手段３０に対して作用する前記圧力を低減させることができるもの、言い換えると、ラッチ部材３５とラッチ部材受け部材３７との係合状態が強固なものとなることを防止できるものであれば、任意な形式、構造のものでよい。
【０１７１】
なお、連結手段の形式、構造は、前述した図１〜図７で示されている連結手段３０に限定されるものではなく、連結手段は、扉１３が扉１２に対して連結、分離自在となるものであれば、任意な形式、構造のものでよい。
【０１７２】
連結手段は、例えば、ラッチ部材受け部は、回動する棒状のラッチ部材が嵌合する溝部となっていてもよい。
【０１７３】
なお、以上説明した各実施形態では、連結手段３０は、左右２個備えられているものであったが、連結手段３０は、１個のみ備えるようにしてもよい。この場合には、連結手段３０は、ハンドル部材１６が配置されている側（図１では、右側）に１個配置するようにしてもよい。
【０１７４】
また、以上説明した各実施形態では、連結手段３０を構成するラッチ部材３５を有するハンドル部材３１は、扉１２や扉体本体５３に配置され、ラッチ部材受け部材３７は、扉１３や副扉５５に配置されるものであったが、これとは逆に、連結手段３０を構成するラッチ部材３５を有するハンドル部材３１は、扉１３や副扉５５に配置し、ラッチ部材受け部材３７は、扉１２や扉体本体５３に配置するようにしてもよい。
【０１７５】
なお、以上説明した各実施形態では、第１扉である扉１２と第２扉である扉１３は、共に開き戸であったが、これらの扉１２，１３は共に引戸となっていてもよい。これと同様に、扉体本体５３と副扉５５は、共に開き戸であったが、扉体本体５３と副扉５５は共に引戸であってもよい。また、扉体本体５３は開き戸とし、副扉５５は引戸としてもよく、これとは逆に、扉体本体５３は引戸とし、副扉５５は開き戸としてもよい。
【０１７６】
なお、以上説明した各実施形態では、施錠装置は、サムターンとシリンダーの組み合わせによるものであったが、施錠装置の形式、構造は、これに限定されるものではなく、サムターンとシリンダーの組み合わせ以外によるものでもよい。
【産業上の利用可能性】
【０１７７】
本発明は、集中豪雨や津波等が発生した非常時において、建物等の構造物の出入口への屋外側からの雨水、氾濫した河川の水、海水等の浸入を阻止するための止水装置に利用することができる。
【符号の説明】
【０１７８】
１，５１，５１´，５１´´，６１，７１，８１，９１  止水装置
２  出入口
３，５２  扉体
１２  第１扉である扉
１３  副扉となっている第２扉である扉
１９  第１扉の上端部
２３  第２扉の下端部
２５  第１扉の戸当たり部となっている第２扉の下端部の薄肉部
３０  連結手段
３１  ラッチ部材を作動させるための操作部材
３５  ラッチ部材
３７  ラッチ部材受け部を形成するラッチ部材受け部材
４０  出入口の周縁部を形成する水密部材
５３  扉体本体
５４  開口部
５５  副扉
５４Ａ，５４Ｂ，５４Ｃ，５４Ｄ  副扉の周縁部が当接する戸当たり部となっている開口部の周縁部
５５Ｂ，５５Ｃ，５５Ｄ，５５Ｅ  副扉の周縁部
６２  二軸蝶番
７０  全閉位置まで閉じ移動した第１扉又は扉体本体を出入口の周縁部に圧接されるための操作部材
９２  圧力低減手段を構成する板状部材
９３  圧力低減手段を構成するばね
９４  圧力低減手段
【図１】
2018091074.tif 000003
【図２】
2018091074.tif 000004
【図３】
2018091074.tif 000005
【図４】
2018091074.tif 000006
【図５】
2018091074.tif 000007
【図６】
2018091074.tif 000008
【図７】
2018091074.tif 000009
【図８】
2018091074.tif 000010
【図９】
2018091074.tif 000011
【図１０】
2018091074.tif 000012
【図１１】
2018091074.tif 000013
【図１２】
2018091074.tif 000014
【図１３】
2018091074.tif 000015
【図１４】
2018091074.tif 000016
【図１５】
2018091074.tif 000017
【図１６】
2018091074.tif 000018
【図１７】
2018091074.tif 000019
【図１８】
2018091074.tif 000020
【図１９】
2018091074.tif 000021
【図２０】
2018091074.tif 000022
【図２１】
2018091074.tif 000023